(57)【要約】【課題】両脚の大腿部に巻き付けて快適に装着することができ、かつ、脚の冷えを防止でき、脚の血流を改善し、さらに、支えが無くとも座った姿勢から楽に立ち上がることができる開脚規制バンドを提供する。【解決手段】全体形状が定尺帯状であり、その表て面に面状ファスナーの雌部４が形成されると共に、裏面の長手方向一端部に、雌部４に着脱自在の面状ファスナーの雄部５を有し、かつ、裏面の長手方向中間部に、使い捨てカイロ、ハーブ類、マグネットの内の少なくとも１つを収納するための袋部が設けられている。【選択図】図４
0003210138.tif 000002
【実用新案登録請求の範囲】
【請求項１】
全体形状が定尺帯状であり、その表て面に面状ファスナーの雌部（４）が形成されると共に、裏面の長手方向一端部に、上記雌部（４）に着脱自在の面状ファスナーの雄部（５）を有し、かつ、裏面の長手方向中間部に、使い捨てカイロ、ハーブ類、マグネットの内の少なくとも１つを収納するための袋部（２）が設けられたことを特徴とする開脚規制バンド。
【請求項２】
全体形状が定尺帯状であり、その表て面に面状ファスナーの雌部（４）が形成されると共に、裏面の長手方向一端部に、上記雌部（４）に着脱自在の面状ファスナーの雄部（５）を有し、かつ、裏面の長手方向中間部に、使い捨てカイロ、ハーブ類、マグネットの内の少なくとも１つを収納するための左右一対の袋部（２）（２）が分離状に設けられ、
両脚の大腿部（Ｆ）（Ｆ）に巻設した状態で、該大腿部（Ｆ）の裏面（１１）に対応する裏面対応領域（Ｅ１）、及び／又は、該大腿部（Ｆ）の外側面（１２）に対応する外側面対応領域（Ｅ２）に、上記袋部（２）（２）が配設されていることを特徴とする開脚規制バンド。
【請求項３】
全体形状が定尺帯状であり、その表て面に面状ファスナーの雌部（４）が形成されると共に、裏面の長手方向一端部に、上記雌部（４）に着脱自在の面状ファスナーの雄部（５）を有し、かつ、裏面の長手方向中間部に、マグネット（６）が複数固着されていることを特徴とする開脚規制バンド。
【考案の詳細な説明】
【技術分野】
【０００１】
本考案は、開脚規制バンドに関する。
【背景技術】
【０００２】
例えば、電車で席に座っている時や、オフィスで椅子に座って仕事をしている時に、ついつい、両脚が左右に開いてしまうことがある。このことに気づいた時に、内股の筋肉（いわゆる内転筋群）に力を入れて、両脚が閉じた姿勢を保持しようとするが、この姿勢を長時間続けるとやがて内股の筋肉が疲労し、無意識の内に、両脚が開いてくる。
そこで、従来、両脚の開きを規制して、意識的に力を入れなくても両脚が閉じた姿勢を維持できる開脚防止具が提案されている（特許文献１参照）。
【先行技術文献】
【特許文献】
【０００３】
【特許文献１】登録実用新案第３１８５２５１号
【考案の概要】
【考案が解決しようとする課題】
【０００４】
しかし、従来の開脚防止具は、装着状態で、両脚の開きを規制するための一対の板材が、大腿部の弯曲面に沿って密着しないので、板材の角部が大腿部に食い込んで、長時間使用していると違和感を感じるという欠点があった。また、血流の循環が阻害され、脚の冷えを防止することや脚の血流を改善することはできなかった。
【０００５】
そこで、本考案は、両脚の大腿部に巻き付けて快適に装着することができ、かつ、脚の冷えを防止でき、脚の血流を改善し、さらに、支えが無いと立ち上がりできなかった人であっても、支えが無くとも座った姿勢から楽に立ち上がることが可能になる等の改善が期待できる開脚規制バンドを提供することを目的とする。
【課題を解決するための手段】
【０００６】
本考案に係る開脚規制バンドは、全体形状が定尺帯状であり、その表て面に面状ファスナーの雌部が形成されると共に、裏面の長手方向一端部に、上記雌部に着脱自在の面状ファスナーの雄部を有し、かつ、裏面の長手方向中間部に、使い捨てカイロ、ハーブ類、マグネットの内の少なくとも１つを収納するための袋部が設けられたものである。
【０００７】
また、全体形状が定尺帯状であり、その表て面に面状ファスナーの雌部が形成されると共に、裏面の長手方向一端部に、上記雌部に着脱自在の面状ファスナーの雄部を有し、かつ、裏面の長手方向中間部に、使い捨てカイロ、ハーブ類、マグネットの内の少なくとも１つを収納するための左右一対の袋部が分離状に設けられ、両脚の大腿部に巻設した状態で、該大腿部の裏面に対応する裏面対応領域、及び／又は、該大腿部の外側面に対応する外側面対応領域に、上記袋部が配設されているものである。
また、全体形状が定尺帯状であり、その表て面に面状ファスナーの雌部が形成されると共に、裏面の長手方向一端部に、上記雌部に着脱自在の面状ファスナーの雄部を有し、かつ、裏面の長手方向中間部に、マグネットが複数固着されているものである。
【考案の効果】
【０００８】
本考案の開脚規制バンドによれば、椅子等に座るとき、両脚の大腿部に巻設した状態で、大腿部の弯曲面に沿って密着して、快適な装着感を得ることができる。長時間の使用でも、ほとんど違和感を感じることなく、快適に装着でき、椅子等に座っている際に、無意識に両脚が開いてしまうのを確実に防止できる。両脚を閉じた姿勢を意識して保とうとすることによる筋肉の疲労を軽減できる。内股のリンパ節が圧迫されるのを防止して、脚がつるのを防ぐことができる。脚が健康になって、支えがないと立ち上がれなかった人が、支えがなくても容易に立ち上がれるようになる。また、正座ができなかった人が、正座できるようになる。袋部に収納した使い捨てカイロで、脚を温めて、冬季の脚の冷えを防止でき、かつ、脚の血流が改善され、全身の疲労や倦怠感を軽減できる。袋部に収納したハーブ類のアロマ効果により、使用者をリラックスさせたり、集中力を高めたりできる。マグネットの磁気により、脚の血流が改善され、筋肉の疲労や凝りを治すことができる。コンパクトに丸めることができ、容易に持ち運ぶことができる。
【図面の簡単な説明】
【０００９】
【図１】本考案の実施の一形態を示した正面図である。
【図２】本考案の実施の一形態を示した背面図である。
【図３】図２のＡ−Ａ拡大断面図である。
【図４】装着状態を示す斜視図である。
【図５】装着状態を示す断面図であり、（Ａ）は全体の断面図であり、（Ｂ）は要部拡大断面図である。
【図６】本考案の他の実施形態を示した正面図である。
【図７】本考案の他の実施形態を示した背面図である。
【図８】装着状態を示す断面図である。
【図９】本考案の別の実施形態を示した正面図である。
【図１０】本考案の別の実施形態を示した背面図である。
【図１１】図１０のＢ−Ｂ拡大断面図である。
【考案を実施するための形態】
【００１０】
以下、実施の形態を示す図面に基づき本考案を詳説する。
図１と図２に示すように、本考案の開脚規制バンドＺは、可撓性を有する定尺の帯本体部１を備え、この帯本体部１は、表て面（一面）が合成樹脂製のパイル生地、裏面（他面）がゴム又は合成樹脂製の発泡体（いわゆるスポンジゴム）で形成されている。即ち、開脚規制バンドＺの表て面（一面）には、全面にわたって面状ファスナーの雌部４が形成され、一方、開脚規制バンドＺの裏面（他面）の長手方向一端部には、面状ファスナーの雌部４に着脱自在の面状ファスナーの雄部５を有している。面状ファスナーの雄部５は、小帯状片の裏面に形成され、この小帯状片が帯本体部１の裏面（他面）の長手方向一端部に縫着されている。帯本体部１全体の長さ寸法Ｌは、８００ｍｍ〜１２００ｍｍに設定され、より好ましくは、９００ｍｍ〜１１００ｍｍに設定される。長さ寸法Ｌが、下限値未満であると、短すぎて大腿部Ｆ，Ｆに巻き付けられない虞れがあり、上限値を超えると、大腿部Ｆ，Ｆに巻き付けた際、余分が長すぎて邪魔になる。帯本体部１の幅寸法Ｗは、６０ｍｍ〜１２０ｍｍに設定され、より好ましくは、８０ｍｍ〜１００ｍｍに設定される。幅寸法Ｗが下限値未満であると、大腿部Ｆ，Ｆに巻き付けた際、大腿部Ｆ，Ｆに食い込んで痛みを感じ易くなり、幅寸法Ｗが上限値を超えると、大腿部Ｆ，Ｆに巻き付けづらくなり、しかも、開脚規制バンドＺが密着している部分が蒸れたり、窮屈に感じたりする虞れがある。
【００１１】
図２と図３に示すように、本考案の開脚規制バンドＺは、裏面の長手方向中間部に、袋部２が設けられている。袋部２は、使い捨てカイロ、ハーブ類、マグネット等の被収納物Ｘを、少なくとも１つ収納可能として構成されている。
袋部２は、帯本体部１の裏面に、比較的薄い矩形状の布２０を縫着することで形成され、左右両端縁２１，２１と下端縁２２に沿って横倒コ字状の縫着部２３が形成されている。なお、図例では、袋部２の左右方向中央線と上端縁の一部に沿ってＴ字状の縫着部２４が形成されているが、この縫着部２４は省略できる場合がある。
【００１２】
上述した本考案の開脚規制バンドの使用方法（作用）について説明する。
図４に示すように、本考案の開脚規制バンドＺを装着する際、使用者は椅子Ｃに腰掛けて両脚を閉じて、両脚の大腿部Ｆ，Ｆに開脚規制バンドＺを巻き付けて、表て面（一面）に設けた面状ファスナーの雌部４に、裏面の長手方向一端部に設けた面状ファスナーの雄部５を取着する。開脚規制バンドＺの表て面の全面にわたって面状ファスナーの雌部４が形成されている為、大腿部Ｆ，Ｆを丁度良い締付力で締付けて、任意の位置で、面状ファスナーの雌部４に雄部５を取着することができる。開脚規制バンドＺを両脚の大腿部Ｆ，Ｆに巻き付けることで、両脚が左右に開くのを規制（抑制）する。
【００１３】
使用者は、開脚規制バンドＺを両脚の大腿部Ｆ，Ｆに巻き付けることで、内股の筋肉（いわゆる内転筋群）に意識して力を入れなくても、両脚を閉じた姿勢を維持でき、筋肉が疲れてしまうのを防止する。また、使用者は、両脚を閉じて座ることで、背筋が伸びて美しい姿勢を保ち易くなり、猫背が矯正されて、腰・背中・首が痛くなるのを防止する。両脚を閉じた姿勢を保てれば、内股のリンパ節が圧迫されることなく、血液とリンパの循環がスムーズに行われ、脚の筋肉に老廃物が溜まりにくくなり、脚がつるのを防ぐことができる。即ち、脚が健康になって、支えがないと立ち上がれなかった人が、支えがなくても容易に立ち上がれるようになり、また、正座ができなかった人が、容易に正座できるようになる。
【００１４】
図５に示すように、開脚規制バンドＺを両脚の大腿部Ｆ，Ｆに巻設した状態で、開脚規制バンドＺが大腿部Ｆの弯曲面に沿って密着して、快適な装着感を得ることができる。また、開脚規制バンドＺの袋部２に収納した被収納物Ｘが、大腿部Ｆの裏面１１に密着するように構成されている。言い換えると、袋部２は、大腿部Ｆの裏面１１に対応する裏面対応領域Ｅ１に配設されている。なお、図５（Ａ）に於ては、面状ファスナーの雌部４・雄部５については、図示省略した。
例えば、袋部２に（被収納物Ｘとして）使い捨てカイロを入れておけば、大腿部Ｆを裏面１１側から温める。大腿部Ｆの裏側には、人が歩く時や立ち上がる時に使う主要な筋肉群（いわゆるハムストリングス）があり、使い捨てカイロで大腿部Ｆを裏側から温めることで、脚の冷えを防止できて、冬季の寒い日にこの筋肉が冷えて固くなってしまうのを未然に防ぎ、なおかつ、脚の血流が改善され、全身の疲労や倦怠感を軽減する。あるいは、袋部２にハーブ類をいれておけば、そのアロマ効果により、使用者をリラックスさせたり、集中力を高めたりすることも可能となる。また、袋部２にマグネットを入れておけば、マグネットの磁気により、脚の血流が改善され、筋肉の疲労や凝りを治す。
【００１５】
次に、本考案の他の実施形態について説明する。
図６と図７に示すように、開脚規制バンドＺの全体形状が定尺帯状であり、その表て面に面状ファスナーの雌部４が形成されると共に、裏面の長手方向一端部に、雌部４に着脱自在の面状ファスナーの雄部５を有している点で、図１、図２に示す上述の実施形態と同様である。図６と図７では、開脚規制バンドＺの裏面の長手方向中間部に、左右一対の袋部２，２が分離状に設けられている。袋部２，２は、使い捨てカイロ、ハーブ類、マグネット等の被収納物Ｘを収納可能として構成されている。図７では、各袋部２に被収納物Ｘが２つずつ収納されるよう図示しているが、被収納物Ｘを１つだけ収納する場合もあり、あるいは、３つ以上の被収納物Ｘを収納可能として構成する場合もある。
【００１６】
図８に示すように、開脚規制バンドＺを両脚の大腿部Ｆ，Ｆに巻設した状態で、大腿部Ｆの裏面１１に対応する裏面対応領域Ｅ１、及び、大腿部Ｆの外側面１２に対応する外側面対応領域Ｅ２に、袋部２，２が配設されている。開脚規制バンドＺの（裏面の）長手方向中間部に設けた左右一対の袋部２，２に収納した被収納物Ｘ，Ｘが、大腿部Ｆの裏面１１及び外側面１２に密着する。例えば、被収納物Ｘとして使い捨てカイロを各袋部２，２に２個ずつ収納すれば、大腿部Ｆの裏側と外側から筋肉（ハムストリングス）をより効率よく温めて、脚の冷えを防止でき、冬季の寒い日に筋肉が冷えて固くなってしまうのを未然に防ぎ、なおかつ、筋肉を温めることで脚の血流が改善され、全身の疲労や倦怠感を軽減する。また、大腿部Ｆの裏側と外側には、ツボも多く、使い捨てカイロで温めることで、ツボが刺激されて、脚の血流を改善する効果も期待できる。
【００１７】
図８に示すように、左右一対の袋部２，２の間、即ち、開脚規制バンドＺの裏面の左右方向中央部は、装着状態で大腿部Ｆ，Ｆに接触（密着）しないので、使い捨てカイロやマグネット等の被収納物Ｘがあっても、効果が薄い。従って、袋部２，２を左右に分離状に設け、大腿部Ｆ，Ｆに接触しない箇所（中央部）に被収納物Ｘが配設されないように構成し、無駄を省いている。
なお、袋部２，２は、裏面対応領域Ｅ１・外側面対応領域Ｅ２の少なくともどちらか一方に設ければ良く、例えば、袋部２，２を、比較的大きく離間させて、大腿部Ｆの外側面１２に対応するように配設しても良い（図示省略）。また、図８に於ては、面状ファスナーの雌部４・雄部５について、図示省略している。
【００１８】
次に、本考案の別の実施形態について説明する。
図９と図１０に示すように、開脚規制バンドＺの全体形状が定尺帯状であり、その表て面に面状ファスナーの雌部４が形成されると共に、裏面の長手方向一端部に、雌部４に着脱自在の面状ファスナーの雄部５を有している点で、図１と図２、あるいは、図６と図７に示す上述の実施形態と同様である。図９と図１０では、開脚規制バンドＺの裏面の長手方向中間部に、マグネット６が複数固着されている。図示省略するが、開脚規制バンドＺを両脚の大腿部Ｆ，Ｆに巻設した状態で、大腿部Ｆの裏面１１に対応する領域、及び、大腿部Ｆの外側面１２に対応する領域に、複数のマグネット６が等間隔に並べて配設されている。
【００１９】
図１１に示すように、マグネット６は、小円盤状であって、帯本体部１の裏面に固着（貼着）されている。
開脚規制バンドＺを両脚の大腿部Ｆ，Ｆに巻設した状態で、複数のマグネット６の磁気によって、脚の血流が改善され、大腿部Ｆの裏側と外側の筋肉の疲労や凝りを治す。脚の血流が改善されることで、全身の疲労や倦怠感を軽減する効果もある。
なお、図６、図７に係る実施形態の補足説明となるが、袋部２，２に、被収納物Ｘとしてマグネットを複数個収納して、開脚規制バンドＺを両脚の大腿部Ｆ，Ｆに巻設すれば、図９と図１０に示す開脚規制バンドＺを使用した場合と同様の作用・効果が得られる。
【００２０】
なお、本考案は、設計変更可能であって、例えば、帯本体部１の表て面のパイル生地に、アロマ効果のあるハーブ類のエキスを含浸するも好ましい。また、図２に於て、袋部２を左右外方に延伸させて、装着状態で大腿部Ｆの背面１１及び外側面１２に対応するよう構成しても良い。
【００２１】
以上のように、本考案に係る開脚規制バンドは、全体形状が定尺帯状であり、その表て面に面状ファスナーの雌部４が形成されると共に、裏面の長手方向一端部に、上記雌部４に着脱自在の面状ファスナーの雄部５を有し、かつ、裏面の長手方向中間部に、使い捨てカイロ、ハーブ類、マグネットの内の少なくとも１つを収納するための袋部２が設けられたので、両脚の大腿部Ｆ，Ｆに巻設した状態で、大腿部Ｆの弯曲面に沿って密着して、快適な装着感を得ることができる。椅子やベンチや座席等に座った姿勢で、長時間の使用でも、ほとんど違和感を感じることなく、快適に装着でき、無意識に両脚が開いてしまうのを確実に防止できる。両脚を閉じた姿勢を意識して保とうとすることによる筋肉の疲労を軽減できる。内股のリンパ節が圧迫されるのを防止して、脚がつるのを防ぐことができる。脚が健康になって、支えがないと立ち上がれなかった人が、支えがなくても容易に立ち上がることができる。また、正座ができなかった人が、正座できるようになる。袋部２に収納した使い捨てカイロで、脚を温めて、冬季の脚の冷えを防止でき、かつ、脚の血流が改善され、全身の疲労や倦怠感を軽減できる。ハーブ類のアロマ効果により、使用者をリラックスさせたり、集中力を高めたりできる。マグネットの磁気により、脚の血流が改善され、筋肉の疲労や凝りを治すことができる。コンパクトに丸めることができ、容易に持ち運ぶことができる。
【００２２】
また、全体形状が定尺帯状であり、その表て面に面状ファスナーの雌部４が形成されると共に、裏面の長手方向一端部に、上記雌部４に着脱自在の面状ファスナーの雄部５を有し、かつ、裏面の長手方向中間部に、使い捨てカイロ、ハーブ類、マグネットの内の少なくとも１つを収納するための左右一対の袋部２，２が分離状に設けられ、両脚の大腿部Ｆ，Ｆに巻設した状態で、該大腿部Ｆの裏面１１に対応する裏面対応領域Ｅ１、及び／又は、該大腿部Ｆの外側面１２に対応する外側面対応領域Ｅ２に、上記袋部２，２が配設されているので、両脚の大腿部Ｆ，Ｆに巻設した状態で、大腿部Ｆの弯曲面に沿って密着して、快適な装着感を得ることができる。椅子等に座った姿勢での長時間の使用でも、ほとんど違和感を感じることなく、快適に装着でき、無意識に両脚が開いてしまうのを確実に防止できる。両脚を閉じた姿勢を意識して保とうとすることによる筋肉の疲労を軽減できる。内股のリンパ節が圧迫されるのを防止して、脚がつるのを防ぐことができる。脚が健康になって、支えがないと立ち上がれなかった人が、支えがなくても容易に立ち上がることができる。また、正座ができなかった人が、正座できるようになる。袋部２，２に収納した使い捨てカイロで、脚を温めて、冬季の脚の冷えを防止でき、かつ、脚の血流が改善され、全身の疲労や倦怠感を軽減できる。ハーブ類のアロマ効果により、使用者をリラックスさせたり、集中力を高めたりできる。マグネットの磁気により、脚の血流が改善され、筋肉の疲労や凝りを治すことができる。コンパクトに丸めることができ、容易に持ち運ぶことができる。袋部２，２に収納した使い捨てカイロ、ハーブ類、マグネットが確実に大腿部Ｆの背面１１と外側面１２に密着して、脚を温めることや血流の改善に効率良く利用されて、無駄を省くことができる。
【００２３】
また、全体形状が定尺帯状であり、その表て面に面状ファスナーの雌部４が形成されると共に、裏面の長手方向一端部に、上記雌部４に着脱自在の面状ファスナーの雄部５を有し、かつ、裏面の長手方向中間部に、マグネット６が複数固着されているので、両脚の大腿部Ｆ，Ｆに巻設した状態で、大腿部Ｆの弯曲面に沿って密着して、快適な装着感を得ることができる。椅子等に座った姿勢での長時間の使用でも、ほとんど違和感を感じることなく、快適に装着でき、無意識に両脚が開いてしまうのを確実に防止できる。両脚を閉じた姿勢を意識して保とうとすることによる筋肉の疲労を軽減できる。内股のリンパ節が圧迫されるのを防止して、脚がつるのを防ぐことができる。脚が健康になって、支えがないと立ち上がれなかった人が、支えがなくても容易に立ち上がることができる。また、正座ができなかった人が、正座できるようになる。マグネットの磁気により、脚の血流が改善され、筋肉の疲労や凝りを治すことができる。コンパクトに丸めることができ、容易に持ち運ぶことができる。
【符号の説明】
【００２４】
２  袋部
４  面状ファスナーの雌部
５  面状ファスナーの雄部
６  マグネット
１１  裏面
１２  外側面
Ｆ  大腿部
Ｅ１  裏面対応領域
Ｅ２  外側面対応領域
【図１】
0003210138.tif 000003
【図２】
0003210138.tif 000004
【図３】
0003210138.tif 000005
【図４】
0003210138.tif 000006
【図５】
0003210138.tif 000007
【図６】
0003210138.tif 000008
【図７】
0003210138.tif 000009
【図８】
0003210138.tif 000010
【図９】
0003210138.tif 000011
【図１０】
0003210138.tif 000012
【図１１】
0003210138.tif 000013